【手続補正書】
【提出日】平成21年7月22日(2009.7.22)
【手続補正１】
【補正対象書類名】特許請求の範囲
【補正対象項目名】全文
【補正方法】変更
【補正の内容】
【特許請求の範囲】
【請求項１】
順方向および逆方向の光信号を、光ファイバを介して伝送するためのファイバ・トゥ・ザ・ホーム（ＦＴＴＨ）システムであって、
該ＦＴＴＨシステムは、複数のホームネットワークユニットを含み、該複数のホームネットワークユニットは、映像、音声、およびデータの信号のうちの少なくとも１つを受信するための、かつ該少なくとも１つの映像、音声、およびデータの信号を同軸ケーブルを介して接続された装置に提供するための、光受信器を含み、
該光受信器は、
光信号をＲＦ信号に変換するためのフォトダイオードと、
該ＲＦ信号を該光受信器の全体にわたって増幅するための複数の利得段階と、
を備え、
該複数の利得段階は、前置増幅器段階および後置増幅器段階と、該前置増幅器および後置増幅器段階の間に連結される第１および第２の段間増幅器と、を備え、
該複数の利得段階を該光受信器の全体にわたって配置することが、低出力雑音信号を有する所望のレベルを有する後置増幅器出力信号を提供する、
ＦＴＴＨシステム。
【請求項２】
前記光受信器は、
前記ＲＦ信号を前記フォトダイオードから受信するための、かつ光制御信号を提供するための、第１の利得制御ネットワークであって、該ＲＦ信号は前記光信号の入力パワーレベルを備える、第１の利得制御ネットワークと、
前記前置増幅器段階と前記第１の段間増幅器との間に連結される第１の減衰器であって、該光制御信号を受信し、かつ該光信号の該入力パワーレベルが所定の範囲を越えるときには、該ＲＦ信号を減衰するための、第１の減衰器と、
をさらに備える、
請求項１に記載のＦＴＴＨシステム。
【請求項３】
前記光受信器は、前記入力パワーレベルを前記第１の利得制御ネットワークに提供するための光パワー感知回路をさらに備える、請求項２に記載のシステム。
【請求項４】
前記光受信器は、
前記ＦＴＴＨシステムから制御機能信号を受信するためのイネーブル回路であって、該制御機能信号は前記複数の利得段階に対するパワー制限機能を示す、イネーブル回路をさらに備え、
該パワー制限機能がイネーブル化されるときには、前記ＲＦ信号は、前記接続された装置への配信を阻止される、
請求項１に記載のＦＴＴＨシステム。
【請求項５】
前記光受信器は、バイアス回路をさらに含み、該バイアス回路は、変圧器バイアス回路である、請求項１に記載のシステム。
【請求項６】
前記光受信器は、バイアス回路をさらに含み、該バイアス回路は、抵抗器バイアス回路である、請求項１に記載のＦＴＴＨシステム。
【請求項７】
前記光受信器は、
前記第１および第２の段間増幅器の間に連結される第２の減衰器と、
前記後置増幅器段階の出力に連結される第２の利得制御ネットワークであって、前記後置増幅器出力信号と関連するレベルを示すＲＦ制御信号を提供するための、第２の利得制御ネットワークと、
をさらに備える、
請求項２に記載のＦＴＴＨシステム。
【請求項８】
前記第２の減衰器は、前記後置増幅器出力信号を前記所望のレベルに維持するために、前記ＲＦ制御信号に基づいて前記ＲＦ信号を減衰する、請求項７に記載のＦＴＴＨシステム。
【請求項９】
前記第１の減衰器が切り替わるときには、前記第２の減衰器は、前記後置増幅器出力信号の前記所望のレベルを維持するために自動的にバックオフする、請求項７に記載のＦＴＴＨシステム。
【請求項１０】
増幅されたＲＦ出力信号を提供する方法であって、該方法は、
光受信器において入力光信号を受信するステップと、
該入力光信号をＲＦ信号に変換するステップと、
所望のレベルを有するＲＦ出力信号を提供するために、該光受信器の全体にわたって配置された複数の利得段階で、該ＲＦ信号を増幅するステップと、
を実行し、
該複数の利得段階は、前置増幅器段階、第１の段間増幅器、第２の段間増幅器、および後置増幅器段階を備える、
方法。
【請求項１１】
前記ＲＦ信号を増幅する前に、該ＲＦ信号の入力レベルを決定するステップと、
該入力レベルが所定の範囲を越えるときには、前記前置増幅器段階の出力において第１の減衰器で該ＲＦ信号を減衰するステップと、
をさらに実行する、請求項１０に記載の方法。
【請求項１２】
前記入力光信号の前記入力レベルを感知するステップと、該入力レベルを第１の利得制御ネットワークに提供するステップと、をさらに実行する、請求項１１に記載の方法。
【請求項１３】
前記第１および第２の段間増幅器の間に配置された第２の減衰器で、前記ＲＦ信号を減衰するステップをさらに実行する、請求項１０に記載の方法。
【請求項１４】
前記ＲＦ出力信号と関連するレベルを示すＲＦ制御信号を、前記第２の減衰器に提供するステップをさらに実行する、請求項１３に記載の方法であって、該第２の減衰器は、前記出力ＲＦ信号を前記所望のレベルに維持するために、該ＲＦ制御信号に基づいて前記ＲＦ信号を減衰する、方法。
【請求項１５】
前記第１の減衰器が切り替えを開始するときには、前記ＲＦ出力信号の前記所望のレベルを維持するために、減衰を自動的にバックオフするステップをさらに実行する、請求項１０に記載の方法。
【請求項１６】
光入力信号を受信し、かつＲＦ出力信号を提供するための光受信器を備える、通信システムであって、
該光受信器は、
光レベルを有する光信号を、ＲＦレベルを有するＲＦ信号に変換するためのフォトダイオードであって、該ＲＦレベルは該光レベルと均等である、フォトダイオードと、
該ＲＦ信号を受信するための、かつ増幅された信号を提供するための、該フォトダイオードに連結される前置増幅器段階と、
所定のレベルに従って該ＲＦレベルを減衰するための、該前置増幅器段階に連結される第１の減衰器と、
該ＲＦ信号を増幅するための、該第１の減衰器に連結される第１および第２の段間増幅器と、
該所定のレベルに従って該ＲＦレベルをさらに減衰するための、該第２の段間増幅器に連結される第２の減衰器と、
該ＲＦ信号の終段増幅のための、該第２の減衰器に連結される後置増幅器段階と、
を備え、
該後置増幅器段階によって提供される該ＲＦ信号の該ＲＦレベルは、該所定のレベルにある、
通信システム。
【請求項１７】
前記ＲＦ信号を前記フォトダイオードから受信するための、かつ前記ＲＦレベルを示す光制御信号を提供するための、第１の利得制御ネットワークをさらに備える、請求項１６に記載の通信システム。
【請求項１８】
前記ＲＦ信号を前記後置増幅器段階から受信するための、かつ前記ＲＦレベルを示すＲＦ制御信号を前記第２の減衰器に提供するための、第２の利得制御ネットワークをさらに備える、請求項１７に記載の通信システム。
【請求項１９】
前記第１の減衰器が切り替わるときには、前記第２の減衰器は、前記後置増幅器段階のＲＦ信号の所望のレベルを維持するために自動的にバックオフする、請求項１６に記載の通信システム。
【請求項２０】
前記通信システムから制御機能信号を受信するためのイネーブル回路をさらに備える、請求項１６に記載の通信システムであって、該制御機能信号は、前記前置増幅器段階、前記第１および第２の段間増幅器、ならびに前記後置増幅器段階に、パワー制限機能を示し、該パワー制限機能がイネーブル化されるときには、該後置増幅器段階のＲＦ信号は、伝送を阻止される、通信システム。
【請求項２１】
前記第１の段間増幅器と前記第２の増幅器との間に連結された減衰器であって、該減衰器は、ＲＦ制御信号に基づいて、該第１の段間増幅器からの前記ＲＦ信号を減衰するように構成される、減衰器と、
前記後置増幅器段階の出力に連結された利得制御ネットワークであって、該利得制御ネットワークは、該後置増幅器の出力信号に関連づけられたレベルを示す該ＲＦ制御信号を提供する、利得制御ネットワークと
をさらに備える、請求項１に記載のＦＴＴＨシステム。
【手続補正２】
【補正対象書類名】明細書
【補正対象項目名】００１９
【補正方法】変更
【補正の内容】
【００１９】
図３にも示されるように、本発明の光受信器３００は、遠隔イネーブルをまた含み得る。サービスプロバイダは、ネットワークを介して遠隔から光受信器３００をディスエーブルし得る。サービスプロバイダと光受信器３００との間の通信は、ファイバ上である波長を使用して、双方向デジタル信号経路を提供する。イネーブル機能が、利得段階３２０、３３５、３５０、３６０へのパワーを中断し、それによって、家庭への任意の映像信号を遮断するための適切な隔離が提供される。フォトダイオード３０５のバイアスは依然として維持されるが、しかしながら、映像出力の状態に関わらず、光信号の品位の監視が可能になる。追加の利点として、映像サービスが必要とされない場合には、家庭に装着されるユニットの電力消費が削減される。